(57)【要約】【課題】  本発明は、容易にクライアント端末を管理することを目的とする。【解決手段】  医療設備管理システム５００において、医療設備管理部３００は、携帯端末１４０と携帯端末１４０を管理するＰＣ１２０とを有する医療システム１００と、医療システム１００の機器またはソフトウェアからなる設備を管理する。医療設備管理部３００は、医療システム１００の設備に関する設備情報を有し、送信手段は、該設備情報に基づいて、携帯端末１４０のプログラムまたはデータを更新するための更新ファイルをＰＣ１２０に送信する。ＰＣ１２０は、医療設備管理部３００から受信した更新ファイルを携帯端末１４０に送信する送信手段を有する。携帯端末１４０は、ＰＣ１２０から受信した更新ファイルに基づいて携帯端末１４０のプログラムまたはデータを更新する更新手段を有する。【選択図】  図１
2006171859.tif 000002
【特許請求の範囲】
【請求項１】
クライアント端末とクライアント端末を管理する端末管理手段とを有する管理システムと、前記管理システムの機器またはソフトウェアからなる設備を管理する設備管理手段を有し、
前記設備管理手段は、前記管理システムの設備に関する設備情報を有し、該設備情報に基づいて、前記クライアント端末のプログラムまたはデータを更新するための更新ファイルを前記端末管理手段に送信する送信手段を有し、
前記端末管理手段は、前記設備管理手段が送信した更新ファイルを受信する受信手段と、前記受信手段により受信した更新ファイルを前記クライアント端末に送信する送信手段を有し、
前記クライアント端末は、前記端末管理手段が送信した更新ファイルを受信する受信手段と、受信した更新ファイルに基づいて前記クライアント端末のプログラムまたはデータを更新する更新手段を有することを特徴とする設備管理システム。
【請求項２】
前記端末管理手段は、該前記端末管理手段が管理する前記クライアント端末のプログラムまたはデータの更新状況を前記設備管理手段に送信することを特徴とする請求項１に記載の設備管理システム。
【請求項３】
前記設備管理手段は、設備を認識する認識手段と、該認識手段により認識された設備に基づいて設備の構成を更新する設備更新手段とを備えることを特徴とする請求項１または２に記載の設備管理システム。
【請求項４】
前記設備更新手段は、前記管理システムの設備の利用状況を検知する利用状況検知手段と、該利用状況検知手段により検知された設備の利用状況に基づいて設備の構成を更新することを特徴とする請求項３に記載の設備管理システム。
【請求項５】
前記設備管理手段は、前記クライアント端末のプログラムまたはデータの更新状況を確認するための確認手段を有することを特徴とする請求項１から４のいずれかに記載の設備管理システム。
【請求項６】
クライアント端末を有する管理システムと、前記管理システムの情報を管理する設備管理手段を有し、
前記設備管理手段は、前記管理システムの設備に関する設備情報を有し、該設備情報に基づいて、前記クライアント端末のプログラムまたはデータを更新するための更新ファイルを前記クライアント端末に送信する送信手段を有し、
前記クライアント端末は、前記設備管理手段が送信した更新ファイルを受信する受信手段と、受信した更新ファイルに基づいてクライアント端末のプログラムまたはデータを更新する更新手段を有することを特徴とする設備管理システム。
【発明の詳細な説明】
【技術分野】
【０００１】
本発明は、設備管理技術に関し、特にクライアント端末を管理する技術に関する。
【背景技術】
【０００２】
例えば、近年の医療施設はコンピュータを医療においても使用し、目的に応じた医療用のデータや医療用ソフトウエアなどを使用することにより、効率的かつ的確な医療の実現を図っている。一方、効率の良い医療を実現するには、日常の業務の変化に対応できるように、プログラムの更新を行っていく必要があり、コンピュータのデータやプログラムを的確に管理する必要がある。複雑化するシステムにおいては、該システムを構成する機器やコンピュータのバージョン管理、さらには更新作業も手間と時間がかかり、確実かつ正確に管理情報を把握することが困難になってきている。このため、例えば特許文献１では、実施する医療行為に関する実施データ入力手段を有する端末と、該端末から入力された実施データを記録・管理する管理手段を有する病院内情報管理システムが提案されている。
【特許文献１】特開２００４−１１０８１８号公報
【発明の開示】
【発明が解決しようとする課題】
【０００３】
コンピュータのデータやプログラムの管理を行う場合、一般的にそれぞれのコンピュータを一つ一つ更新しなければならず、また、どのコンピュータが更新されているかも各医療施設が独自に管理しなければならない。このように、独自に各システムにおいてコンピュータのプログラムまたはデータの更新などを的確に管理するには、多くの時間と労力を必要とする。
【０００４】
本発明はこうした課題に鑑みてなされたものであり、その目的は、容易にクライアント端末を管理することにある。
【課題を解決するための手段】
【０００５】
上記課題を解決するために、本発明のある態様の設備管理システムは、クライアント端末とクライアント端末を管理する端末管理手段とを有する管理システムと、管理システムの機器またはソフトウェアからなる設備を管理する設備管理手段を有する。設備管理手段は、管理システムの設備に関する設備情報を有し、該設備情報に基づいて、クライアント端末のプログラムまたはデータを更新するための更新ファイルを端末管理手段に送信する送信手段を有する。端末管理手段は、設備管理手段が送信した更新ファイルを受信する受信手段と、受信手段により受信した更新ファイルをクライアント端末に送信する送信手段を有する。クライアント端末は、端末管理手段が送信した更新ファイルを受信する受信手段と、受信した更新ファイルに基づいてクライアント端末のプログラムまたはデータを更新する更新手段を有する。この態様によると、容易にクライアント端末を管理することができる。
【０００６】
端末管理手段は、該端末管理手段が管理するクライアント端末のプログラムまたはデータの更新状況を設備管理手段に送信してもよい。この態様によると、容易にクライアント端末のプログラムまたはデータの更新状況を確認することができる。
【０００７】
設備管理手段は、設備を認識する認識手段と、該認識手段により認識された設備に基づいて設備の構成を更新する設備更新手段とを備えてもよい。この態様によると、容易に設備の構成を確認することができる。
【０００８】
設備更新手段は、管理システムの設備の利用状況を検知する利用状況検知手段と、該利用状況検知手段により検知された設備の利用状況に基づいて設備の構成を更新してもよい。この態様によると、設備の利用状況に応じた設備の構成とすることができる。
【０００９】
設備管理手段は、クライアント端末のプログラムまたはデータの更新状況を確認するための確認手段を有してもよい。この態様によると、容易にクライアント端末の更新状況を確認することができる。
【００１０】
本発明の別の態様もまた、設備管理システムである。この設備管理システムは、クライアント端末を有する管理システムと、管理システムの情報を管理する設備管理手段を有する。設備管理手段は、管理システムの設備に関する設備情報を有し、該設備情報に基づいて、クライアント端末のプログラムまたはデータを更新するための更新ファイルをクライアント端末に送信する送信手段を有する。クライアント端末は、設備管理手段が送信した更新ファイルを受信する受信手段と、受信した更新ファイルに基づいてクライアント端末のプログラムまたはデータを更新する更新手段を有する。この態様によると、容易にクライアント端末を管理することができる。
【発明の効果】
【００１１】
本発明の医療設備管理システムによれば、容易にクライアント端末を管理することができる。
【発明を実施するための最良の形態】
【００１２】
以下、図面を参照して本発明の実施の形態（以下、「実施形態」という。）について説明する。
【００１３】
（第１の実施形態）
本発明の実施形態を具体的に説明する前に、まず本実施形態にかかる医療設備管理システムについて簡単に述べる。本実施形態にかかる医療設備管理システムは、クライアント端末である携帯端末と、携帯端末を管理するＰＣとを有する医療システムと、医療システムの機器またはソフトウェアからなる設備を管理している医療設備管理部を有している。医療設備管理部は、医療システムの設備に関する設備情報を有し、この設備情報に基づいて、携帯端末のプログラムまたはデータを更新するための更新ファイルを端末の管理を行うＰＣに送信する。ＰＣは、受信した更新ファイルを携帯端末に送信し、携帯端末は、受信した更新ファイルに基づいてクライアント端末のプログラムまたはデータを更新する。
【００１４】
図１は、第１の実施形態にかかる医療設備管理システム５００の全体構成を示す図である。
【００１５】
医療設備管理システム５００は、第１医療システム１００ａ、第２医療システム１００ｂなど、異なる医療施設に導入された複数の医療システム１００を有し、ＷＡＮ（Wide Area Network）やインターネットを通じて医療設備管理部３００に接続されている。ここで、一つの医療システム１００が導入される医療施設とは、病院など一つの場所に設けられた１または複数の建物に導入されてもよく、系列の病院など、複数の場所に設けられた１または複数の建物に導入されてもよい。一つの医療システム１００が導入された医療施設は、医療設備管理部３００による管理や、メンテナンスなどのサービスなどを一体的に受けることができる。
【００１６】
例えば、第１医療システム１００ａが導入された医療施設では、ネットワークサーバ１１０ａ、第１パーソナルコンピュータ１２０ａ（以下、「ＰＣ」と記載する。）や第２ＰＣ１２０ｂなど、携帯端末１４０に無線または有線により接続して管理するローカルサーバとしての機能を有する複数のＰＣ１２０、第１ＰＣ１２０ａに有線または無線により接続され管理される第１携帯端末１４０ａ、第２携帯端末１４０ｂおよびその他の携帯端末１４０などの機器またはソフトウエア、第２ＰＣ１２０ｂに有線または無線により接続され管理される第３携帯端末１４０ｃ、第４携帯端末１４０ｄおよびその他の携帯端末１４０などの機器またはソフトウエアを有する。第１医療システム１００ａが導入された医療施設では、ネットワークサーバ１１０ａ、第１ＰＣ１２０ａや１２０ｂなど複数のＰＣ１２０、第１携帯端末１４０ａや第２携帯端末１４０ｂなど複数の携帯端末１４０が、ＬＡＮ（Local Area Network）により、相互に情報の送受信が可能に接続されている。
【００１７】
また、第２医療システム１００ｂが導入された医療施設では、ネットワークサーバ１１０ｂ、第３ＰＣ１２０ｃや第４ＰＣ１２０ｄなど、携帯端末１４０に有線または無線により接続し管理するローカルサーバとしての機能を有する複数のＰＣ、第３ＰＣ１２０ｃに有線または無線により接続され管理される第５携帯端末１４０ｅ、第６携帯端末１４０ｆおよびその他の携帯端末１４０などの機器またはソフトウエア、第４ＰＣ１２０ｄに有線または無線により接続され管理される第７携帯端末１４０ｇ、第８携帯端末１４０ｈおよびその他の携帯端末１４０などの機器またはソフトウエアを有する。第２医療システム１００ｂが導入された医療施設では、ネットワークサーバ１１０ｂ、第３ＰＣ１２０ｃや第４ＰＣ１２０ｄなど複数のＰＣ１２０、第５携帯端末１４０ｅや第６携帯端末１４０ｆなど複数の携帯端末１４０が、ＬＡＮにより、相互に情報の送受信が可能に接続されている。
【００１８】
これら第１医療システム１００ａと第２医療システム１００ｂとでは、コストや専門とする医療部門、その他医療施設の規模などに応じて、例えば種類の異なるソフトウエアや、異なる機種のＰＣ１２０や携帯端末１４０を使うことができ、また、ＰＣ１２０や携帯端末１４０で使用するソフトウェアなども異なるものを使用することができる。
【００１９】
図２は、第１の実施形態にかかる医療設備管理部３００の構成を示す概念図である。医療設備管理部は、医療システム１００が導入された複数の医療施設を管理するため、医療施設とは別の場所に設けられており、ＷＡＮもしくはインターネットを介して、第１医療システム１００ａ、第２医療システム１００ｂなどが導入された各医療施設に情報を送受信可能に接続されている。医療設備管理部３００がサーバーとしての機能を持つものであってもよく、医療設備管理部３００がサーバーを介してＷＡＮもしくはインターネットに接続するものでもよい。
【００２０】
医療設備管理部３００は、設備記憶部３１０、更新状況記憶部３１２、更新ファイル記憶部３１４、設備管理部３１６、更新状況管理部３１８、更新ファイル管理部３２０、送受信部３２２を備えている。
【００２１】
設備記憶部３１０は、各医療施設が導入した医療システム１００における設備がどのように構成されているかが格納される。医療システム１００における設備とは、例えば携帯端末１４０やプリンタ、記憶装置など、ＰＣ１２０に接続されることによりデータの送受信を行う機器やこれらを使用するために必要なドライバやデータ、または医療用ソフトウエアのようにＰＣ１２０にインストールされるソフトウエア、その他、ＰＣ１２０やネットワークサーバ１１０などをいう。
【００２２】
設備管理部３１６は、例えば更新ファイルがある場合に、設備記憶部３１０に記憶された設備情報を参照し、該設備情報に基づいて更新ファイルを送信するかを判断する。
【００２３】
更新状況記憶部３１２には、導入されている医療システム１００において、ローカルサーバとしてのＰＣ１２０に接続される携帯端末１４０などの設備のうち、どの設備がプログラムまたはデータの更新が済んでいるかなどの更新状況の情報が記憶されている。プログラムとは、例えば携帯端末１４０にインストールされる医療用ソフトウエアなどをいい、データとは、例えば医療に関するデータや、携帯端末１４０にインストールされたソフトウエアが利用するデータ、もしくは携帯端末１４０にインストールされたソフトウエア自体が更新機能を有しており、外部からデータを受信することによりそのデータを利用して更新を行う場合の更新用のデータなどをいう。
【００２４】
更新状況管理部３１８は、更新状況記憶部３１２に格納されている各設備の更新状況を参照し、その更新ファイルのバージョンと比較することにより、医療システム１００の携帯端末１４０がその更新ファイルによる更新が済んでいるかを判断する。また、ＰＣ１２０は携帯端末１４０からプログラムまたはデータの更新が済んだ旨の情報を受信し、これを医療設備管理部３００に送信する。更新状況管理部３１８は、ＰＣ１２０から携帯端末１４０のプログラムまたはデータの更新が済んだ旨の受信すると、更新状況記憶部３１２に携帯端末１４０のプログラムまたはデータの更新が済んだ旨を格納する。
【００２５】
更新ファイル記憶部３１４は、医療システム１００に導入されている携帯端末１４０などの設備のプログラムまたはデータを更新する必要がある場合に更新ファイルが格納される。更新ファイル管理部３２０は、更新ファイル記憶部３１４に更新ファイルがあるか否かを判断する。
【００２６】
送受信部３２２は、更新ファイルなどを医療システム１００に送信し、また、医療システム１００から更新状況の情報や設備情報などを受信する。
【００２７】
図３は、第１の実施形態にかかる医療システム１００におけるＰＣ１２０と、ＰＣ１２０に管理される携帯端末１４０の構成を示した概念図である。ＰＣ１２０は、携帯端末１４０などを管理する管理サーバーとしての機能を有しており、携帯端末１４０とＬＡＮにより接続されている。
【００２８】
ＰＣ１２０は、更新ファイル記憶部１２１、更新状況記憶部１２２、設備記憶部１２３、更新ファイル管理部１２４、更新状況管理部１２５、設備管理部１２６、送受信部１２７などを有している。
【００２９】
更新ファイル記憶部１２１には、医療設備管理部３００から受信した更新ファイルが格納される。更新ファイル管理部１２４は、医療設備管理部３００から更新ファイルを受信した場合に更新ファイル記憶部１２１に格納し、また更新ファイル記憶部１２１に更新ファイルが格納されているかを判断し、更新ファイルが格納されている場合は、携帯端末１４０に更新ファイルを送信する。
【００３０】
更新状況記憶部１２２には、ＰＣ１２０が管理する携帯端末１４０のプログラムまたはデータの更新状況が格納される。更新状況管理部１２５は、更新状況記憶部１２２に格納された携帯端末１４０のプログラムまたはデータの更新状況を参照し、携帯端末１４０のプログラムまたはデータの更新を行う必要があるか否かを判断する。
【００３１】
設備記憶部１２３には、ＰＣ１２０が管理する携帯端末１４０などの設備情報が格納される。設備管理部１２６は、ＰＣ１２０が管理する携帯端末１４０などの設備情報を設備記憶部１２３に格納し、設備に変更が生じた場合は設備情報を更新し、医療設備管理部３００に更新された設備情報などを送信する。なお、ＰＣ１２０が外部入力機器などから操作されることにより、必要に応じて設備記憶部１２３に格納された設備情報を、図示しないＰＣ１２０の画面に表示してもよい。
【００３２】
送受信部１２７は、更新ファイルなどを医療設備管理部３００に送信し、また、携帯端末１４０から更新状況の情報や設備情報などを受信する。
【００３３】
ＰＣ１２０は、ＬＡＮを介して複数の携帯端末１４０が接続されている。携帯端末１４０は、ＰＣ１２０から送信された医療情報を、携帯端末１４０に設けられた画面に表示することができ、また携帯端末１４０に医療情報をユーザが入力したり、使用したまたは使用予定の医療器具を識別タグで読み取るなどして、携帯端末１４０に医療情報が入力され、入力された医療情報はＰＣ１２０に送信できるようになっている。ＰＣ１２０に格納された医療情報は、他の携帯端末１４０にも送信することができ、また医療設備管理部３００に送信することができるようになっている。このように、本実施形態におけるクライアント端末である携帯端末１４０を利用することにより、効率的かつ確実な医療を実現することが可能となっている。
【００３４】
携帯端末１４０は、更新ファイル記憶部１４１、更新状況記憶部１４２、更新ファイル管理部１４３、更新状況管理部１４４、更新部１４５、送受信部１４６などを有している。
【００３５】
更新ファイル記憶部１４１は、ＰＣ１２０から送信された更新ファイルを記憶する。更新状況記憶部１４２は、携帯端末１４０に格納されたプログラムまたはデータのバージョンやプログラムまたはデータのバージョンまたは更新が済んでいるかの更新状況の情報を記憶する。更新ファイル管理部１４３は、更新ファイル記憶部１４１に更新ファイルがあるか否かを判断する。更新状況管理部１４４は、更新状況記憶部に記憶されたプログラムまたはデータのバージョンもしくは更新が済んでいるかの更新状況の情報を参照し、更新の必要があるか否かを判断する。
【００３６】
更新部１４５は、更新ファイル管理部１４３がプログラムまたはデータの更新の必要があると判断した場合には、更新ファイル記憶部１４１に格納された更新ファイルによって携帯端末１４０のプログラムまたはデータの更新を行う。プログラムまたはデータの更新とは、例えば携帯端末１４０にインストールされたソフトウエアの更新をする場合や、携帯端末１４０にインストールされたソフトウエアに利用されるデータを更新する場合などをいう。更新部１４５によって携帯端末１４０のプログラムまたはデータの更新がされた場合には、更新ファイル管理部１４３は、プログラムまたはデータのバージョンもしくは更新が済んでいるかの更新状況の情報を更新し、更新状況記憶部１４２に格納するとともに、更新がされた旨または更新状況の情報を送受信部１４６を介してＰＣ１２０に送信する。
【００３７】
送受信部１４６は、ＰＣ１２０から送信された更新ファイルなどを受信する。またプログラムまたはデータの更新がされた旨または更新状況の情報などを、送受信部１４６により、ＰＣ１２０に送信する。
【００３８】
図４は、医療設備管理部３００、ＰＣ１２０、および携帯端末１４０に格納された医療システム１００にかかる設備情報および更新状況の情報を示す図であり、（ａ）は携帯端末１４０に格納された設備情報および更新状況の情報を示す図であり、（ｂ）はＰＣ１２０に格納された設備情報および更新状況の情報を示す図であり、（ｃ）は医療設備管理部３００に格納された設備情報および更新状況の情報を示す図である。
【００３９】
携帯端末１４０の更新状況記憶部１４２には、（ａ）のように、プログラムおよびデータのそれぞれについて、バージョンおよび更新が済みかの更新状況の情報が格納される。本図ではプログラムおよびデータについて１種類ずつしか例示していないが、複数のプログラムまたはデータについてバージョンと更新が済みか否かの情報を格納してもよい。プログラムまたはデータの追加や削除がされた場合、プログラムまたはデータの更新がされた場合は、この情報も更新され、更新された更新状況はＰＣ１２０に送信される。携帯端末１４０に格納されたプログラムまたはデータのバージョンまたは更新が済みか否かの情報は、ユーザの入力などにより携帯端末１４０の画面に表示することができる。
【００４０】
ＰＣ１２０には、（ｂ）のように、ＰＣ１２０が管理する携帯端末１４０などの設備情報および携帯端末１４０などの設備についてプログラムおよびデータのバージョンと更新が済みかの更新状況の情報が格納される。プログラムまたはデータの追加や削除がされた場合やプログラムまたはデータの更新がされた場合は、この更新状況の情報が更新され携帯端末１４０から更新状況の情報がＰＣ１２０に送信される。ＰＣ１２０に格納されたプログラムまたはデータのバージョンまたは更新が済みかの更新状況の情報は、ユーザの入力などによりＰＣ１２０の画面に表示することができる。
【００４１】
医療設備管理部３００には、（ｃ）のように、医療システム１００が有する携帯端末１４０やＰＣ１２０の設備情報および、各設備のプログラムおよびデータのバージョンと更新が済みかの更新状況の情報が格納される。設備の更新の情報は、医療設備管理部３００においては、各医療施設に導入される医療システム１００ごとに管理される。携帯端末１４０は、それぞれの携帯端末１４０が管理されるＰＣ１２０との対応関係が明確になるように管理されており、ＰＣ１２０も医療システム１００との対応関係が明確になるように管理されている。
【００４２】
図５は、第１の実施形態にかかる医療設備管理部３００が、携帯端末１４０のプログラムまたはデータを更新する更新ファイルを送信する送信動作を示すフローチャートである。医療設備管理部３００は、更新対象の医療システム１００の入力を受け付ける（Ｓ１１）。更新対象の医療システム１００の入力は、キーボードやマウスなどにより対象となる医療システム１００を特定することにより行われる。これにより、例えば更新を希望するユーザの医療システム１００にのみ更新ファイルを送信することができるなど、サービス性を向上することができる。なお、医療設備管理部３００が管理するすべての医療システム１００を指定してもよい。これにより一括してすべての医療システム１００について更新ファイルを送信することができる。
【００４３】
更新対象の医療システム１００の入力を受け付けると、医療設備管理部３００の更新ファイル管理部３２０は、更新ファイル記憶部３１４に更新ファイルがあるか否かを判断する（Ｓ１２）。更新ファイルがない場合は（Ｓ１２のＮ）、更新ファイルがない旨を図示しない医療設備管理部３００の画面に表示し（Ｓ１７）、本フローを終了する。
【００４４】
更新ファイル記憶部３１４に更新ファイルがある場合は（Ｓ１２のＹ）、医療設備管理部３００は、更新対象として指定された医療システム１００に、更新対象となる携帯端末１４０があるか否かを判断する（Ｓ１３）。更新対象となる携帯端末１４０があるか否かは、例えば、医療設備管理部３００の設備記憶部３１０に格納された医療システム１００の設備情報を、設備管理部３１６が参照することにより、携帯端末１４０の機種や製造年月日、製造番号または携帯端末１４０にインストールされているソフトウエアのバージョンなどを参照し、プログラムまたはデータの更新が必要な機種か、または携帯端末１４０にインストールされているソフトウエアの更新が必要かなどにより判断される。更新対象として指定された医療システム１００に更新が必要な携帯端末１４０がないなど、更新対象がないと判断された場合には（Ｓ１３のＮ）、更新対象がない旨を医療設備管理部３００の画面に表示して（Ｓ１８）、本フローを終了する。これにより、設備情報を利用して効果的に更新ファイルを送信することができる。
【００４５】
更新対象として指定された医療システム１００に、更新対象である携帯端末１４０がある場合（Ｓ１３のＹ）、医療設備管理部３００は、ｉを１に設定し（Ｓ１４）、医療設備管理部３００の送受信部３２２により、ＰＣｉに更新ファイルを送信する（Ｓ１５）。ｉとは、例えば、図４（ｃ）におけるＰＣ１２０のＮｏ．など、ＰＣ１２０を特定するための識別情報をいう。本実施形態においては、ＰＣ１２０を特定するための識別情報として、連続した番号をＰＣ１２０に割り当てている。医療設備管理部３００がＰＣｉに更新ファイルを送信すると、医療設備管理部３００は、ｉが更新の対象である医療システム１００において携帯端末１４０のプログラムまたはデータの更新を行うかを判断する最後のｉ１であるか否かを判断する（Ｓ１６）。
【００４６】
ｉ＝ｉ１である場合は（Ｓ１６のＹ）、本フローを終了する。ｉ＝ｉ１でない場合は（Ｓ１６のＮ）、ｉ＋１をｉに設定し（Ｓ１９）、医療設備管理部３００の送受信部３２２はＰＣｉに更新ファイルを送信する（Ｓ１５）。以上により、更新対象として指定された医療システム１００の中で、すべてのＰＣ１２０に更新ファイルを送信することができる。
【００４７】
図６は、第１の実施形態にかかるＰＣ１２０が携帯端末１４０のプログラムまたはデータを更新する更新ファイルを送信する送信動作を示すフローチャートである。本フローチャートは所定期間ごとに開始してもよく、また、ＰＣ１２０の電源がオンにされた場合や、医療システム１００のユーザによる携帯端末１４０へ更新ファイルを送信する送信ボタンの入力をＰＣ１２０が受け付けることなどにより開始してもよい。なお、ユーザからの入力を受け付けることにより携帯端末１４０へ更新ファイルを送信する場合には、更新ファイルを医療設備管理部３００からＰＣ１２０が受信した際に、更新ファイルを受信した旨または携帯端末１４０への更新ファイルの送信を承認するかなどをＰＣ１２０の画面に表示してもよい。
【００４８】
ＰＣ１２０の更新ファイル管理部１２４は、更新ファイルが更新ファイル記憶部１２１にあるか否かを判断する（Ｓ３１）。更新ファイルがあれば携帯端末１４０に更新ファイルを送信し（Ｓ３２）、本フローを終了する。更新ファイル記憶部１２１に更新ファイルがないと判断した場合も（Ｓ３１のＮ）、本フローを終了する。
【００４９】
図７は、第１の実施形態にかかる携帯端末１４０のプログラムまたはデータの更新動作を示すフローチャートである。本フローチャートは所定期間ごとに開始してもよく、また、携帯端末１４０がＰＣ１２０にデータの送受信可能に接続された場合や、携帯端末１４０がＰＣ１２０にデータの送受信可能に接続された状態で携帯端末１４０の電源がオンにされた場合に開始しても良い。
【００５０】
携帯端末１４０の更新ファイル管理部１４３は、更新ファイル記憶部１４１に更新ファイルがあるか否かを判断する（Ｓ４１）。更新ファイルがある場合は（Ｓ４１のＹ）、携帯端末１４０は、更新状況記憶部１４２を参照し、携帯端末１４０がプログラムまたはデータの更新が済んでいるか、または更新ファイルのバージョンと携帯端末１４０のプログラムまたはデータのバージョンを比較し、更新が必要か否かを判断する（Ｓ４２）。更新が必要であると判断した場合には（Ｓ４２のＹ）、携帯端末１４０の更新部１４５は、携帯端末１４０のプログラムまたはデータを更新し（Ｓ４３）、本フローを終了する。更新ファイルがないと判断された場合（Ｓ４１のＮ）、または更新が必要でないと判断された場合（Ｓ４２のＮ）は、本フローを終了する。
【００５１】
なお、携帯端末１４０のユーザによる携帯端末１４０のプログラムまたはデータを更新させるための更新ボタンの入力を受け付けることなどにより開始してもよい。ユーザからの入力を受け付けることにより携帯端末１４０のプログラムまたはデータの更新を行う場合は、携帯端末１４０の更新ファイル管理部１４３が、更新ファイル記憶部１４１に更新ファイルがあると判断した場合（Ｓ４１のＹ）、更新ファイルを受信した旨または更新を承認するかなどを携帯端末１４０の画面に表示し、更新の要否の判断（Ｓ４２）は、医療システム１００のユーザにより行ってもよい。これにより、携帯端末１４０のプログラムまたはデータの更新に、ユーザの意志を反映することができる。
【００５２】
（第２の実施形態）
本発明の実施形態を具体的に説明する前に、まず本実施形態にかかる医療設備管理システムについて簡単に述べる。本実施形態にかかる医療設備管理システムは、クライアント端末であるＰＣを有する医療システムと、医療システムの情報を管理する医療設備管理部を有している。医療設備管理部は、医療システムの設備に関する設備情報を有し、この設備情報に基づいて、ＰＣのプログラムまたはデータを更新するための更新ファイルをＰＣに送信する。ＰＣは、受信した更新ファイルに基づいてＰＣのプログラムまたはデータを更新する。
【００５３】
図８は、第２の実施形態にかかる医療設備管理システム５００の全体構成を示す図である。なお、第１の実施形態と共通する部分については同一の符号を付して説明を省略する。
【００５４】
ＰＣ１２０には、複数の設備１５０が導入されている。この場合の設備１５０とは、例えば、携帯端末１４０やプリンタ、記憶装置など、ＰＣ１２０に有線または無線により接続されることによりデータの送受信を行うことにより医療システム１００を構成するものや、医療用ソフトウエアなど、ＰＣ１２０にインストールされることにより医療システム１００を構成するものなどをいう。
【００５５】
これらの設備１５０は、すべての医療システム１００において同一のものでもよく、医療システム１００ごとに異なるものであってもよい。例えば設備１５０はすべて同一の機種の携帯端末１４０でもあってもよい。また、例えば第１医療システム１００ａと第２医療システム１００ｂで異なる機種の携帯端末１４０を使用してもよく、また、例えば第１医療システム１００ａと第２医療システム１００ｂで携帯端末１４０は同一のものを使用するが、第２医療システム１００ｂのみ医療用ソフトウエアを使用するなどであってもよい。
【００５６】
図９は、第２の実施形態にかかる医療システム１００におけるＰＣ１２０の構成を示した概念図である。ＰＣ１２０は、携帯端末１４０などを管理する管理サーバーとしての機能だけでなく、医療ソフトウエアや各装置のドライバなどがインストールされ各設備を動作させるためのクライアント端末としての機能を有している。
【００５７】
ＰＣ１２０は、更新ファイル記憶部１２１、更新状況記憶部１２２、設備記憶部１２３、更新ファイル管理部１２４、更新状況管理部１２５、設備管理部１２６、送受信部１２７、および更新部１２８などを有している。
【００５８】
更新ファイル記憶部１２１には、医療設備管理部３００から受信したＰＣ１２０のプログラムまたはデータを更新するための更新ファイルが格納される。プログラムとは、例えばＰＣ１２０にインストールされる医療用ソフトウエアなどをいい、データとは、例えば医療に関するデータや、ＰＣ１２０にインストールされたソフトウエアが利用するデータ、またはＰＣ１２０にインストールされたソフトウエア自体が更新機能を有しており、外部からデータを受信することによりそのデータを利用して更新を行う場合の更新用のデータなどをいう。更新ファイル管理部１２４は、医療設備管理部３００から更新ファイルを受信した場合に更新ファイル記憶部１２１に格納し、また更新ファイル記憶部１２１に更新ファイルが格納されているかを判断する。
【００５９】
更新状況記憶部１２２には、機器と接続してデータの送受信を行うためのドライバや、ＰＣ１２０にインストールされたソフトウエアなどの更新状況が格納される。更新状況管理部１２５は、更新状況記憶部に格納されたソフトウエアやドライバなどの更新状況を参照してＰＣ１２０のプログラムまたはデータの更新を行う必要があるか否かを判断する。
【００６０】
設備記憶部１２３には、ＰＣ１２０に接続してデータの送受信を行う携帯端末１４０やプリンタなどの機器、ＰＣ１２０にインストールされるソフトウエアなどの設備情報が格納される。設備管理部１２６は、新たな機器が接続されることにより、または新たなソフトウエアがインストールまたは使用されることにより設備の使用状況を認識する。所定の期間にこれらの設備のいずれかの機器やソフトウエアが使用されていないと判断される場合は、設備管理部１２６は、医療システム１００から使用されていないと判断される機器やソフトウエアを設備の構成から削除する。使用されていないと判断される機器とは、例えば、ＰＣ１２０と所定期間接続されない機器、または接続されてはいるがＰＣ１２０との情報の送受信が行われない機器などをいい、使用されていないと判断されるソフトウエアとは、例えば、所定期間実行されないソフトウエアなどをいう。ＰＣ１２０と接続されているか否かは、例えばＰＣ１２０の電源をオンにした際に通信確立処理を行うことができるか否かなどにより判断することができ、ＰＣ１２０と接続されているが使用されていないか否かは、例えば同じくＰＣ１２０を起動にした際に通信確立処理を行うことができるか否か、または所定のデータの送受信が行われたか否かなどにより判断することができる。なお、ＰＣ１２０は、キーボードやマウスなどの外部入力機器により、機器やソフトウエアなどの設備の構成を追加または削除することができるようになっている。
【００６１】
設備の構成が変更された場合は、設備管理部１２６は、変更された設備の構成のすべて、または追加もしくは削除された設備の構成のみを医療設備管理部３００に送信する。なお、設備記憶部１２３に格納された設備の構成の情報は、所定期間ごとに医療設備管理部３００に送信してもよく、またＰＣ１２０を起動した際など、ユーザの所定の操作やＰＣ１２０の所定の動作ごとに医療設備管理部３００に送信してもよい。またキーボードやマウスなどの外部入力機器をユーザが操作することにより医療設備管理部３００に送信してもよい。なお、設備管理部１２６は、ＰＣ１２０が外部入力機器などから操作されることにより、必要に応じて設備記憶部１２３に格納された設備情報を、図示しないＰＣ１２０の画面に表示してもよい。
【００６２】
送受信部１２７は、更新状況の情報や設備情報などを医療設備管理部３００に送受信する。
【００６３】
図１０は、ＰＣ１２０および医療設備管理部３００に格納された医療システム１００にかかる設備情報および更新状況の情報を示す図であり、（ａ）はＰＣ１２０に格納された設備情報および更新状況の情報を示す図であり、（ｂ）は医療設備管理部３００に格納された設備情報および更新状況の情報を示す図である。
【００６４】
ＰＣ１２０には、（ａ）のように、ＰＣ１２０に接続されデータを送受信する機器や、ＰＣ１２０にインストールされたソフトウエアなどの設備情報と、各設備についてプログラムおよびデータのバージョンと更新が済みかの更新状況の情報が格納される。プログラムまたはデータの追加や削除がされた場合、プログラムまたはデータの更新がされた場合は、この情報も更新され、更新された更新状況は医療設備管理部３００に送信される。ＰＣ１２０に格納されたプログラムまたはデータのバージョンまたは更新が済みか否かの情報は、ユーザの入力などによりＰＣ１２０の画面に表示することができる。
【００６５】
医療設備管理部３００には、（ｂ）のように、医療システム１００が有する設備のプログラムおよびデータのバージョンと更新が済みか否かの情報が格納される。設備の更新の情報は、医療設備管理部３００においては、各医療施設に導入される医療システム１００ごとに管理される。携帯端末１４０は、それぞれの携帯端末１４０が管理されるＰＣ１２０との対応関係が明確になるように管理されており、ＰＣ１２０も医療システム１００との対応関係が明確になるように管理されている。
【００６６】
図１１は、第２の実施形態にかかる医療設備管理部３００が、ＰＣ１２０のプログラムまたはデータを更新する更新ファイルを送信する送信動作を示すフローチャートである。なお、第１の実施形態と共通する部分については同一の符号を付して説明を省略する。
【００６７】
医療設備管理部３００の更新ファイル記憶部３１４に更新ファイルがあると判断すると、医療設備管理部３００は、医療システム１００に更新対象があるか否かを判断する（Ｓ５１のＹ）。医療システム１００に更新対象があるか否かは、例えば更新ファイルがプリンタのドライバであれば、そのドライバによりＰＣ１２０とのデータの送受信が可能となるプリンタが医療システム１００にあるかを、例えば図１０の（ｂ）の設備情報などを参照することにより判断される。医療システム１００に更新対象がない場合は更新対象がない旨を表示して（Ｓ１８）、本フローを終了する。これにより、設備情報を利用して効果的に更新ファイルを送信することができる。
【００６８】
医療システム１００に更新対象があると判断された場合には（Ｓ５１のＹ）、医療設備管理部３００は、更新が必要か否かを判断する（Ｓ５２）。更新が必要か否かは、例えば更新ファイルがＰＣ１２０にインストールされたソフトウエアの更新プログラムである場合に、インストールされているソフトウエアのバージョンや更新が済みか否かの情報について例えば図１０の（ｂ）の更新状況の情報を参照し、更新プログラムのバージョンなどと比較することにより判断される。更新が必要ないと判断された場合は（Ｓ５２のＮ）、本フローを終了し、更新が必要と判断された場合にはｉ＝１に設定し、ＰＣｉに更新ファイルを送信する（Ｓ１５）。これにより、更新が必要なＰＣに効果的に更新ファイルを送信することができる。
【００６９】
図１２は、第１の実施形態にかかるＰＣ１２０のプログラムまたはデータの更新動作を示すフローチャートである。本フローチャートは所定期間ごとに開始してもよく、また、ＰＣ１２０が更新ファイルを受信したことを検知した場合や、ＰＣ１２０の電源がオンにされた場合に開始しても良い。
【００７０】
ＰＣ１２０の更新ファイル管理部１２４は、更新ファイル記憶部１２１に更新ファイルがあるか否かを判断する（Ｓ６１）。更新ファイルがあると判断された場合には（Ｓ６１のＹ）、ＰＣ１２０は、更新が必要か否かを判断する（Ｓ６２）。更新が必要か否かは、例えばＰＣ１２０に接続されデータの送受信を行う携帯端末１４０やプリンタなどの機器の管理ソフトウエアやドライバ、またはＰＣ１２０にインストールされたソフトウエアのバージョンや更新が済みかの更新状況の情報を、例えば図１０の（ａ）の更新状況の情報を参照し、更新ファイルのバージョンと比較することなどにより行われる。
【００７１】
更新が必要と判断された場合には（Ｓ６２のＹ）、ＰＣ１２０の更新部１２８は、更新ファイル記憶部１２１に格納された更新ファイルによりＰＣ１２０のプログラムまたはデータの更新を行い（Ｓ６３）、本フローを終了する。更新ファイルがない場合（Ｓ６１のＮ）、更新が必要ないと判断された場合（Ｓ６２のＮ）は、本フローを終了する。
【００７２】
図１３は、ＰＣ１２０と医療設備管理部３００との間での設備情報の送受信の動作を示すフローチャートである。本フローは所定期間ごとに開始してもよく、設備が追加または削除された場合に開始してもよく、また、ＰＣ１２０の電源をオンにした場合などに開始してもよい。
【００７３】
ＰＣ１２０の設備管理部１２６は、新たな設備が追加されたか否かを判断し（Ｓ７１）、新たな設備が追加されたと判断した場合には（Ｓ７１のＹ）、設備記憶部１２３に追加された設備情報または更新した設備情報を格納する（Ｓ７２）。新たな設備が追加されたか否かは、例えばプリンタや記憶装置のように、接続することによりデータの送受信を行う機器が接続されたことを検知することにより判断してもよく、また、これらの機器のドライバや、例えば医療用ソフトウエアなどがインストールされたことを検知することにより判断してもよい。なお、ＰＣ１２０のユーザがＰＣ１２０に新たな設備が追加された旨を入力してもよい。
【００７４】
新たな設備がないと判断された場合（Ｓ７１のＮ）、または追加された設備に関連する設備情報を格納した場合（Ｓ７２）は、ＰＣ１２０の設備管理部１２６は、削除された設備があるか否かを判断し（Ｓ７３）、削除された設備がある場合には（Ｓ７３のＹ）、設備記憶部１２３に削除された設備情報または更新した設備情報を格納する（Ｓ７４）。設備が削除されたか否かは、例えば機器のドライバが削除されたり、ソフトウエアがアンインストールされたことを検知することにより判断することができる。なお、ＰＣ１２０のユーザがＰＣ１２０に設備が削除された旨を入力してもよい。
【００７５】
削除された設備がない場合（Ｓ７３のＮ）、または削除された設備を設備記憶部１２３から削除した場合（Ｓ７４）は、各設備の未使用期間が所定の期間Ｐよりも大きいか否かを判断する（Ｓ７５）。各設備の未使用期間は、各設備が最も最近使用された日時から判断時までの期間をいい、ＰＣ１２０が各設備の使用を検知して使用状況を記憶し、判断時までの期間を演算することにより算出される。設備の未使用期間Ｐは設備によって異なるものとしてもよい。設備に未使用期間が所定の期間Ｐよりも大きいと判断した場合には（Ｓ７５のＹ）、設備記憶部１２３に削除された設備情報または更新した設備情報を格納する（Ｓ７６）。
【００７６】
設備の未使用期間が所定の期間Ｐ以下であると判断された場合（Ｓ７５のＮ）、または未使用期間が所定の期間Ｐよりも大きいと判断され設備記憶部１２３から削除した場合（Ｓ７６）は、ＰＣ１２０の送受信部１２７は、医療設備管理部３００に更新された設備情報を送信する（Ｓ７７）。
【００７７】
医療設備管理部３００は、更新された設備情報を受信すると（Ｓ７８）、設備記憶部３１０に更新された設備情報を格納し、設備記憶部３１０に格納された設備情報を更新する（Ｓ７９）。医療設備管理部３００の設備記憶部３１０に記憶された設備情報は、医療設備管理部３００の図示しない画面により確認することができる。以上により、医療システム１００に導入された機器やソフトウエアなどの設備の構成を容易に確認することができる。
【００７８】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そうした例をあげる。
【００７９】
携帯端末１４０は、例えばノート型ＰＣなどのＰＣであってもよい。これによりクライアント端末で高度な処理を行うことができる。また携帯端末１４０は、ＰＨＳや携帯電話などであってもよい。これにより、医療システム１００のクライアント端末の携帯性を向上することができる。
【００８０】
医療システム１００内において、更新すべき携帯端末１４０やＰＣ１２０を指定してもよい。これにより、一つの医療システム１００内でも、更新を行うクライアント端末を細かく指定することが可能となり、サービス性を向上することができる。
【００８１】
図１３のＰＣ１２０と医療設備管理部３００との間での設備情報の送受信の動作を示すフローチャートにおいて、各設備の未使用期間が所定の期間Ｐよりも大きいか否かを判断する代わりに、各設備の使用頻度が所定の値Ｑよりも小さいか否かを判断してもよい。これにより、使用頻度の低い設備を効果的に構成から削除することができる。
【図面の簡単な説明】
【００８２】
【図１】第１の実施形態にかかる医療設備管理システムの全体構成を示す図である。
【図２】第１の実施形態にかかる医療設備管理部の構成を示す概念図である。
【図３】第１の実施形態にかかる医療システムにおけるＰＣと、ＰＣに管理される携帯端末の構成を示した概念図である。
【図４】医療設備管理部、ＰＣ、および携帯端末に格納された医療システムにかかる設備情報および更新状況の情報を示す図であり、（ａ）は携帯端末に格納された設備情報および更新状況の情報を示す図であり、（ｂ）はＰＣに格納された設備情報および更新状況の情報を示す図であり、（ｃ）は医療設備管理部に格納された設備情報および更新状況の情報を示す図である。
【図５】第１の実施形態にかかる医療設備管理部が、携帯端末のプログラムまたはデータを更新する更新ファイルを送信する送信動作を示すフローチャートである。
【図６】第１の実施形態にかかるＰＣが携帯端末のプログラムまたはデータを更新する更新ファイルを送信する送信動作を示すフローチャートである。
【図７】第１の実施形態にかかる携帯端末のプログラムまたはデータの更新動作を示すフローチャートである。
【図８】第２の実施形態にかかる医療設備管理システムの全体構成を示す図である。
【図９】第２の実施形態にかかる医療システムにおけるＰＣの構成を示した概念図である。
【図１０】ＰＣおよび医療設備管理部に格納された医療システムにかかる設備情報および更新状況の情報を示す図であり、（ａ）はＰＣに格納された設備情報および更新状況の情報を示す図であり、（ｂ）は医療設備管理部に格納された設備情報および更新状況の情報を示す図である。
【図１１】第２の実施形態にかかる医療設備管理部が、ＰＣのプログラムまたはデータを更新する更新ファイルを送信する送信動作を示すフローチャートである。
【図１２】第１の実施形態にかかるＰＣのプログラムまたはデータの更新動作を示すフローチャートである。
【図１３】ＰＣと医療設備管理部との間での設備情報の送受信の動作を示すフローチャートである。
【符号の説明】
【００８３】
１００  医療システム、  １１０  ネットワークサーバ、  １２０  ＰＣ、  １４０  携帯端末、  ３００  医療設備管理部、  ４００  ＷＡＮ。
【図１】
2006171859.tif 000003
【図２】
2006171859.tif 000004
【図３】
2006171859.tif 000005
【図４】
2006171859.tif 000006
【図５】
2006171859.tif 000007
【図６】
2006171859.tif 000008
【図７】
2006171859.tif 000009
【図８】
2006171859.tif 000010
【図９】
2006171859.tif 000011
【図１０】
2006171859.tif 000012
【図１１】
2006171859.tif 000013
【図１２】
2006171859.tif 000014
【図１３】
2006171859.tif 000015